【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
複数の処理機能のそれぞれを実行するための処理機能実行部と、
前記処理機能の複数の処理対象項目のそれぞれを表象する表象画像の複数個の表示データを、前記複数個の処理機能のそれぞれについて記憶する表示データ格納部と、
ユーザの操作入力を受け付けて、対応する操作出力信号を出力する操作入力部と、
前記複数個の表象画像を表示画面に表示する際の配列順序に関するデータであって、前記処理機能の前記複数の処理対象項目が複数のグループに分割されているときには、各グループ名と、各グループ内における前記配列順序に関するデータとの対応データを含む表象画像表示順序データを、前記複数個の処理機能のそれぞれについて記憶する表象画像表示順序データ記憶部と、
前記操作入力部で、前記複数の処理機能のうちのいずれか一つを選択する選択操作入力を受け付けたときに、前記表示データ格納部の前記表示データと、前記表象画像表示順序データ記録部の前記表象画像表示順序データを用いて、複数個の前記表象画像を、前記表示画面の一方向に沿って並べると共に、前記複数個の前記表象画像の１つを注目表象画像として前記操作入力部を通じた操作入力により選択可能に表示する表示制御手段と、
を備え、
前記表示制御手段は、
前記操作入力部で、前記複数の処理機能のうちのいずれか一つを選択する選択操作入力を受け付けたときに、前記選択された前記処理機能の前記複数の処理対象項目が複数グループに分割されているかどうかを判別する判別手段と、
前記判別手段で前記複数の処理対象項目が複数グループに分割されていると判別したときに、前記表象画像表示順序データ記憶部の記憶内容に基づいて、前記注目表象画像の近傍に、当該注目表象画像の処理対象項目が属する前記グループ名を表示する手段と
を備えることを特徴とする電子機器。
【請求項２】
複数の処理対象項目のそれぞれを表象する表象画像の複数個の表示データを記憶する表示データ格納部と、
ユーザの操作入力を受け付けて、対応する操作出力信号を出力する操作入力部と、
前記複数の処理対象項目をグループ分けするための操作画面をユーザに提示し、前記操作画面および操作入力部を通じたユーザからの操作入力に応じて、前記複数の処理対象項目の前記グループ分け情報を受け取る手段と、
前記複数の処理対象項目について、前記グループ分け情報に基づいて、グループ分けを行ない、前記複数個の表象画像を表示画面に表示する際の配列順序に関するデータであって、各グループ名と、各グループ内における前記配列順序に関するデータとの対応データを含む表象画像表示順序データを記憶する表象画像表示順序データ記憶部と、
前記表示データ格納部の前記表示データと、前記表象画像表示順序データ記録部の前記表象画像表示順序データを用いて、複数個の前記表象画像を、前記表示画面の一方向に沿って並べ、かつ、前記複数個の前記表象画像の１つを注目表象画像として前記操作入力部を通じた操作入力により選択可能に表示すると共に、前記注目表象画像の近傍に、当該注目表象画像の処理対象項目が属する前記グループ名を表示する表示制御手段と、
を備えることを特徴とする電子機器。
【請求項３】
複数の処理機能のそれぞれを実行するための処理機能実行部と、
前記処理機能の複数の処理対象項目のそれぞれを表象する表象画像の複数個の表示データを、前記複数個の処理機能のそれぞれについて記憶する表示データ格納部と、
ユーザの操作入力を受け付けて、対応する操作出力信号を出力する操作入力部と、
前記複数個の表象画像を表示画面に表示する際の配列順序に関するデータであって、前記処理機能の前記複数の処理対象項目が複数のグループに分割されているときには、各グループ名と、各グループ内における前記配列順序に関するデータとの対応データを含む表象画像表示順序データを、前記複数個の処理機能のそれぞれについて記憶する表象画像表示順序データ記憶部と、
前記操作入力部で、前記複数の処理機能のうちのいずれか一つを選択する選択操作入力を受け付けたときに、前記表示データ格納部の前記表示データと、前記表象画像表示順序データ記録部の前記表象画像表示順序データを用いて、複数個の前記表象画像を、前記表示画面の一方向に沿って並べると共に、前記複数個の前記表象画像の１つを注目表象画像として前記操作入力部を通じた操作入力により選択可能に表示する表示制御手段と、
を備え、
前記表示制御手段は、
前記操作入力部で、前記複数の処理機能のうちのいずれか一つを選択する選択操作入力を受け付けたときに、前記選択された前記処理機能の前記複数の処理対象項目が複数グループに分割されているかどうかを判別する判別手段と、
前記判別手段で前記複数の処理対象項目が複数グループに分割されていると判別したときには、前記複数のグループに応じて分割されており、各分割された部分には、グループ名表示を伴い、かつ、前記注目表象画像位置が当該注目表象画像を含む前記複数個の表象画像の配列中において、どの位置に位置しているかを示すマークを具備するバー表示を、前記表示画面に併せて表示する手段と
を備えることを特徴とする電子機器。
【請求項４】
複数の処理対象項目のそれぞれを表象する表象画像の複数個の表示データを記憶する表示データ格納部と、
ユーザの操作入力を受け付けて、対応する操作出力信号を出力する操作入力部と、
前記複数の処理対象項目をグループ分けするための操作画面をユーザに提示し、前記操作画面および操作入力部を通じたユーザからの操作入力に応じて、前記複数の処理対象項目の前記グループ分け情報を受け取る手段と、
前記複数の処理対象項目について、前記グループ分け情報に基づいて、グループ分けを行ない、前記複数個の表象画像を表示画面に表示する際の配列順序に関するデータであって、各グループ名と、各グループ内における前記配列順序に関するデータとの対応データを含む表象画像表示順序データを記憶する表象画像表示順序データ記憶部と、
前記表示データ格納部の前記表示データと、前記表象画像表示順序データ記録部の前記表象画像表示順序データを用いて、複数個の前記表象画像を、前記表示画面の一方向に沿って並べ、かつ、前記複数個の前記表象画像の１つを注目表象画像として前記操作入力部を通じた操作入力により選択可能に表示すると共に、前記複数のグループに応じて分割されており、各分割された部分には、グループ名表示を伴い、かつ、前記注目表象画像位置が当該注目表象画像を含む前記複数個の表象画像の配列中において、どの位置に位置しているかを示すマークを具備するバー表示を、前記表示画面に併せて表示する
ことを特徴とする電子機器。
【請求項５】
請求項３または請求項４に記載の電子機器において、
前記バー表示は、前記操作入力部を通じて、前記複数個の前記表象画像のスクロール指示入力に基づくスクロールがなされているときに、前記表示画面に表示される
ことを特徴とする電子機器。
【請求項６】
請求項２または請求項４に記載の電子機器において、
放送番組の受信部と、
前記放送番組の受信部で受信した放送番組コンテンツのデータを格納し、読み出し指示により前記放送番組コンテンツのデータを読み出すコンテンツ格納部と、
前記コンテンツ格納部に格納されている前記放送番組コンテンツのそれぞれについての前記表象画像の表示データを生成する表象画像生成手段と、
を備えると共に、
前記表示データ格納部は、前記表象画像生成手段により生成された前記コンテンツ格納部に格納されている前記放送番組コンテンツについての前記表象画像の表示データを記憶し、
前記注目表象画像が選択確定されたときに、当該選択確定された前記放送番組コンテンツの前記読み出し指示が発生して、当該選択確定された前記放送番組コンテンツの再生がなされることを特徴とする電子機器。
【請求項７】
請求項６に記載の電子機器において、
前記グループ分け情報は、前記放送番組コンテンツについての電子番組ガイドデータに含まれる情報を用いる
ことを特徴とする電子機器。
【請求項８】
請求項１〜４のいずれかに記載の電子機器において、
前記表示制御手段は、前記複数個の表象画像を、前記表示画面に映出されている映像コンテンツの画像の画面に、半透明の状態で重ね合わせて表示する
ことを特徴とする電子機器。
【請求項９】
複数の処理機能のそれぞれについての複数の処理対象項目のそれぞれを表象する表象画像の複数個の表示データを、前記複数個の処理機能のそれぞれについて表示データ格納部に記憶するステップと、
操作入力部を通じたユーザの操作入力を受け付けて、対応する操作出力信号を出力するステップと、
前記複数個の表象画像を表示画面に表示する際の配列順序に関するデータであって、前記処理機能の前記複数の処理対象項目が複数のグループに分割されているときには、各グループ名と、各グループ内における前記配列順序に関するデータとの対応データを含む表象画像表示順序データを、前記複数個の処理機能のそれぞれについて表象画像表示順序データ記憶部に記憶するステップと、
前記操作入力部で、前記複数の処理機能のうちのいずれか一つを選択する選択操作入力を受け付けたときに、前記選択された前記処理機能の前記複数の処理対象項目が複数グループに分割されているかどうかを判別する判別ステップと、
前記判別ステップで前記複数の処理対象項目が複数グループに分割されていないと判別したときに、前記表示データ格納部の前記表示データと、前記表象画像表示順序データ記録部の前記表象画像表示順序データを用いて、複数個の前記表象画像を、前記表示画面の一方向に沿って並べると共に、前記複数個の前記表象画像の１つを注目表象画像として前記操作入力部を通じた操作入力により選択可能に表示する第１表示ステップと、
前記判別ステップで前記複数の処理対象項目が複数グループに分割されていると判別したときに、前記第１表示ステップにおける表示に加えて、前記表象画像表示順序データ記憶部の記憶内容に基づいて、前記注目表象画像の近傍に、当該注目表象画像の処理対象項目が属する前記グループ名を表示する第２表示ステップと
を備えることを特徴とする電子機器の表示制御方法。
【請求項１０】
複数の処理対象項目のそれぞれを表象する表象画像の複数個の表示データを表示データ格納部に記憶するステップと、
操作入力部を通じたユーザの操作入力を受け付けて、対応する操作出力信号を出力するステップと、
前記複数の処理対象項目をグループ分けするための操作画面をユーザに提示するステップと、
前記提示された前記グループ分けするための操作画面および操作入力部を通じたユーザからの操作入力に応じて、前記複数の処理対象項目の前記グループ分け情報を受け取るステップと、
前記複数の処理対象項目について、前記グループ分け情報に基づいて、グループ分けを行ない、前記複数個の表象画像を表示画面に表示する際の配列順序に関するデータであって、各グループ名と、各グループ内における前記配列順序に関するデータとの対応データを含む表象画像表示順序データを、表象画像表示順序データ記憶部に記憶するステップと、
前記表示データ格納部の前記表示データと、前記表象画像表示順序データ記録部の前記表象画像表示順序データを用いて、複数個の前記表象画像を、前記表示画面の一方向に沿って並べ、かつ、前記複数個の前記表象画像の１つを注目表象画像として前記操作入力部を通じた操作入力により選択可能に表示すると共に、前記注目表象画像の近傍に、当該注目表象画像の処理対象項目が属する前記グループ名を表示する表示制御ステップと、
を備えることを特徴とする電子機器の表示制御方法。
【請求項１１】
複数の処理機能のそれぞれについての複数の処理対象項目のそれぞれを表象する表象画像の複数個の表示データを、前記複数個の処理機能のそれぞれについて表示データ格納部に記憶するステップと、
奏さ入力部を通じたユーザの操作入力を受け付けて、対応する操作出力信号を出力するステップと、
前記複数個の表象画像を表示画面に表示する際の配列順序に関するデータであって、前記処理機能の前記複数の処理対象項目が複数のグループに分割されているときには、各グループ名と、各グループ内における前記配列順序に関するデータとの対応データを含む表象画像表示順序データを、前記複数個の処理機能のそれぞれについて表象画像表示順序データ記憶部に記憶するステップと、
前記操作入力部で、前記複数の処理機能のうちのいずれか一つを選択する選択操作入力を受け付けたときに、前記選択された前記処理機能の前記複数の処理対象項目が複数グループに分割されているかどうかを判別する判別ステップと、
前記判別ステップで前記複数の処理対象項目が複数グループに分割されていないと判別したときに、前記表示データ格納部の前記表示データと、前記表象画像表示順序データ記録部の前記表象画像表示順序データを用いて、複数個の前記表象画像を、前記表示画面の一方向に沿って並べると共に、前記複数個の前記表象画像の１つを注目表象画像として前記操作入力部を通じた操作入力により選択可能に表示する第１表示ステップと、
前記判別ステップで前記複数の処理対象項目が複数グループに分割されていると判別したときに、前記第１表示ステップにおける表示に加えて、前記複数のグループに応じて分割されており、各分割された部分には、グループ名表示を伴い、かつ、前記注目表象画像位置が当該注目表象画像を含む前記複数個の表象画像の配列中において、どの位置に位置しているかを示すマークを具備するバー表示を、前記表示画面に併せて表示する第２表示ステップと
を備えることを特徴とする電子機器の表示制御方法。
【請求項１２】
複数の処理対象項目のそれぞれを表象する表象画像の複数個の表示データを表示データ格納部に記憶するステップと、
操作入力部を通じたユーザの操作入力を受け付けて、対応する操作出力信号を出力するステップと、
前記複数の処理対象項目をグループ分けするための操作画面をユーザに提示するステップと、
前記提示された前記グループ分けするための操作画面および操作入力部を通じたユーザからの操作入力に応じて、前記複数の処理対象項目の前記グループ分け情報を受け取るステップと、
前記複数の処理対象項目について、前記グループ分け情報に基づいて、グループ分けを行ない、前記複数個の表象画像を表示画面に表示する際の配列順序に関するデータであって、各グループ名と、各グループ内における前記配列順序に関するデータとの対応データを含む表象画像表示順序データを、表象画像表示順序データ記憶部に記憶するステップと、
前記表示データ格納部の前記表示データと、前記表象画像表示順序データ記録部の前記表象画像表示順序データを用いて、複数個の前記表象画像を、前記表示画面の一方向に沿って並べ、かつ、前記複数個の前記表象画像の１つを注目表象画像として前記操作入力部を通じた操作入力により選択可能に表示すると共に、前記複数のグループに応じて分割されており、各分割された部分には、グループ名表示を伴い、かつ、前記注目表象画像位置が当該注目表象画像を含む前記複数個の表象画像の配列中において、どの位置に位置しているかを示すマークを具備するバー表示を、前記表示画面に併せて表示する表示制御ステップと、
を備えることを特徴とする電子機器の表示制御方法。
【請求項１３】
請求項９〜１２のいずれかに記載の電子機器の表示制御方法において、
前記表示制御ステップは、前記複数個の表象画像を、前記表示画面に映出されている映像コンテンツの画像の画面に、半透明の状態で重ね合わせて表示する
ことを特徴とする電子機器の表示制御方法。
【請求項１４】
選択対象項目を表象する表象画像の複数個が表示画面の一方向に沿って並べられて表示され、
前記複数個の表象画像のうちの選択中である注目表象画像の前記表示画面上の表示位置は固定とされると共に、前記注目表象画像は強調表示され、
かつ、操作入力部を通じた前記表象画像の選択操作に応じて、前記表象画像が変更されると共に、前記表象画像の表示位置の近傍には、当該選択対象項目の説明情報が表示され、
前記複数の表象画像の配列中において、前記注目表象位置がどの位置に位置しているかを示すマークを具備するバー表示が、前記表示画面に併せて表示される
ことを特徴とするグラフィカル・ユーザ・インターフェース。
【請求項１５】
請求項１４に記載のグラフィカル・ユーザ・インターフェースにおいて、
前記スクロールの速度が予め定められた速度になったときに、前記複数の表象画像の配列中において、前記注目表象位置がどの位置に位置しているかを示すマークを具備するバー表示が、前記表示画面に併せて表示される
ことを特徴とするグラフィカル・ユーザ・インターフェース。
【請求項１６】
請求項１５に記載のグラフィカル・ユーザ・インターフェースにおいて、
前記複数個の表象画像は、前記選択対象項目に関する属性に基づいて複数のグループに分けられていると共に、前記複数個の表象項目の前記表示画面への表示順序は、グループ毎にまとめられており、前記バー表示は、前記複数のグループに応じて分割されていると共に、各分割された部分には、いずれのグループであるかを示すグループ表示を伴う
ことを特徴とするグラフィカル・ユーザ・インターフェース。
【請求項１７】
請求項１４に記載のグラフィカル・ユーザ・インターフェースにおいて、
前記複数個の表象画像は、前記表示画面に映出されている映像コンテンツの画像の画面に、半透明の状態で重ね合わせて表示される
ことを特徴とするグラフィカル・ユーザ・インターフェース。
【手続補正２】
【補正対象書類名】明細書
【補正対象項目名】０００３
【補正方法】変更
【補正の内容】
【０００３】
従来から、このような多種多様なメディアのコンテンツを再生可能とする、いわゆるマルチメディア再生装置も提案されている（例えば特許文献１（特開平１１−７３４１８号公報）参照）。
【手続補正３】
【補正対象書類名】明細書
【補正対象項目名】０００４
【補正方法】変更
【補正の内容】
【０００４】
また、大容量のハードディスク装置を用いて、大量の放送番組コンテンツを記録し、再生する記録再生装置も提供されている。
【特許文献１】特開平１１−７３４１８号公報
【手続補正４】
【補正対象書類名】明細書
【補正対象項目名】０００８
【補正方法】変更
【補正の内容】
【０００８】
上記の課題を解決するため、請求項１の発明による電子機器は、
複数の処理機能のそれぞれを実行するための処理機能実行部と、
前記処理機能の複数の処理対象項目のそれぞれを表象する表象画像の複数個の表示データを、前記複数個の処理機能のそれぞれについて記憶する表示データ格納部と、
ユーザの操作入力を受け付けて、対応する操作出力信号を出力する操作入力部と、
前記複数個の表象画像を表示画面に表示する際の配列順序に関するデータであって、前記処理機能の前記複数の処理対象項目が複数のグループに分割されているときには、各グループ名と、各グループ内における前記配列順序に関するデータとの対応データを含む表象画像表示順序データを、前記複数個の処理機能のそれぞれについて記憶する表象画像表示順序データ記憶部と、
前記操作入力部で、前記複数の処理機能のうちのいずれか一つを選択する選択操作入力を受け付けたときに、前記表示データ格納部の前記表示データと、前記表象画像表示順序データ記録部の前記表象画像表示順序データを用いて、複数個の前記表象画像を、前記表示画面の一方向に沿って並べると共に、前記複数個の前記表象画像の１つを注目表象画像として前記操作入力部を通じた操作入力により選択可能に表示する表示制御手段と、
を備え、
前記表示制御手段は、
前記操作入力部で、前記複数の処理機能のうちのいずれか一つを選択する選択操作入力を受け付けたときに、前記選択された前記処理機能の前記複数の処理対象項目が複数グループに分割されているかどうかを判別する判別手段と、
前記判別手段で前記複数の処理対象項目が複数グループに分割されていると判別したときに、前記表象画像表示順序データ記憶部の記憶内容に基づいて、前記注目表象画像の近傍に、当該注目表象画像の処理対象項目が属する前記グループ名を表示する手段と
を備えることを特徴とする。
【手続補正５】
【補正対象書類名】明細書
【補正対象項目名】００１２
【補正方法】変更
【補正の内容】
【００１２】
請求項２の発明は、
複数の処理対象項目のそれぞれを表象する表象画像の複数個の表示データを記憶する表示データ格納部と、
ユーザの操作入力を受け付けて、対応する操作出力信号を出力する操作入力部と、
前記複数の処理対象項目をグループ分けするための操作画面をユーザに提示し、前記操作画面および操作入力部を通じたユーザからの操作入力に応じて、前記複数の処理対象項目の前記グループ分け情報を受け取る手段と、
前記複数の処理対象項目について、前記グループ分け情報に基づいて、グループ分けを行ない、前記複数個の表象画像を表示画面に表示する際の配列順序に関するデータであって、各グループ名と、各グループ内における前記配列順序に関するデータとの対応データを含む表象画像表示順序データを記憶する表象画像表示順序データ記憶部と、
前記表示データ格納部の前記表示データと、前記表象画像表示順序データ記録部の前記表象画像表示順序データを用いて、複数個の前記表象画像を、前記表示画面の一方向に沿って並べ、かつ、前記複数個の前記表象画像の１つを注目表象画像として前記操作入力部を通じた操作入力により選択可能に表示すると共に、前記注目表象画像の近傍に、当該注目表象画像の処理対象項目が属する前記グループ名を表示する表示制御手段と、
を備えることを特徴とする。
【手続補正６】
【補正対象書類名】明細書
【補正対象項目名】００１５
【補正方法】変更
【補正の内容】
【００１５】
また、請求項３の発明は、
複数の処理機能のそれぞれを実行するための処理機能実行部と、
前記処理機能の複数の処理対象項目のそれぞれを表象する表象画像の複数個の表示データを、前記複数個の処理機能のそれぞれについて記憶する表示データ格納部と、
ユーザの操作入力を受け付けて、対応する操作出力信号を出力する操作入力部と、
前記複数個の表象画像を表示画面に表示する際の配列順序に関するデータであって、前記処理機能の前記複数の処理対象項目が複数のグループに分割されているときには、各グループ名と、各グループ内における前記配列順序に関するデータとの対応データを含む表象画像表示順序データを、前記複数個の処理機能のそれぞれについて記憶する表象画像表示順序データ記憶部と、
前記操作入力部で、前記複数の処理機能のうちのいずれか一つを選択する選択操作入力を受け付けたときに、前記表示データ格納部の前記表示データと、前記表象画像表示順序データ記録部の前記表象画像表示順序データを用いて、複数個の前記表象画像を、前記表示画面の一方向に沿って並べると共に、前記複数個の前記表象画像の１つを注目表象画像として前記操作入力部を通じた操作入力により選択可能に表示する表示制御手段と、
を備え、
前記表示制御手段は、
前記操作入力部で、前記複数の処理機能のうちのいずれか一つを選択する選択操作入力を受け付けたときに、前記選択された前記処理機能の前記複数の処理対象項目が複数グループに分割されているかどうかを判別する判別手段と、
前記判別手段で前記複数の処理対象項目が複数グループに分割されていると判別したときには、前記複数のグループに応じて分割されており、各分割された部分には、グループ名表示を伴い、かつ、前記注目表象画像位置が当該注目表象画像を含む前記複数個の表象画像の配列中において、どの位置に位置しているかを示すマークを具備するバー表示を、前記表示画面に併せて表示する手段と
を備えることを特徴とする。
【手続補正７】
【補正対象書類名】明細書
【補正対象項目名】００１６
【補正方法】変更
【補正の内容】
【００１６】
また、請求項４の発明は、
複数の処理対象項目のそれぞれを表象する表象画像の複数個の表示データを記憶する表示データ格納部と、
ユーザの操作入力を受け付けて、対応する操作出力信号を出力する操作入力部と、
前記複数の処理対象項目をグループ分けするための操作画面をユーザに提示し、前記操作画面および操作入力部を通じたユーザからの操作入力に応じて、前記複数の処理対象項目の前記グループ分け情報を受け取る手段と、
前記複数の処理対象項目について、前記グループ分け情報に基づいて、グループ分けを行ない、前記複数個の表象画像を表示画面に表示する際の配列順序に関するデータであって、各グループ名と、各グループ内における前記配列順序に関するデータとの対応データを含む表象画像表示順序データを記憶する表象画像表示順序データ記憶部と、
前記表示データ格納部の前記表示データと、前記表象画像表示順序データ記録部の前記表象画像表示順序データを用いて、複数個の前記表象画像を、前記表示画面の一方向に沿って並べ、かつ、前記複数個の前記表象画像の１つを注目表象画像として前記操作入力部を通じた操作入力により選択可能に表示すると共に、前記複数のグループに応じて分割されており、各分割された部分には、グループ名表示を伴い、かつ、前記注目表象画像位置が当該注目表象画像を含む前記複数個の表象画像の配列中において、どの位置に位置しているかを示すマークを具備するバー表示を、前記表示画面に併せて表示する
ことを特徴とする。
【手続補正８】
【補正対象書類名】明細書
【補正対象項目名】００２８
【補正方法】変更
【補正の内容】
【００２８】
ＣＳ放送受信部１４は、ＣＳテレビジョン放送、ＣＳ音声放送およびデータ放送に対応して、ユーザの選局操作に対応して放送番組を選局受信してデコードし、画像信号（映像信号）および音声信号、ＥＰＧデータ等のデータを、インターフェース１８を通じてシステムバス２に出力する。
【手続補正９】
【補正対象書類名】明細書
【補正対象項目名】００３２
【補正方法】変更
【補正の内容】
【００３２】
システムバス２には、また、メモリカードドライブ２５と、時計部２６と、外部入力インターフェース２７と、通信インターフェース２８と、表示画像生成出力部３０と、表示用データ格納部２９と、ＥＰＧ保持部３１とが接続されている。システムバス２には、さらに、記録エンコード・再生デコード部３２と、コンテンツデータ格納部３３と、コンテンツ管理部３４とが接続されている。
【手続補正１０】
【補正対象書類名】明細書
【補正対象項目名】００４３
【補正方法】変更
【補正の内容】
【００４３】
そして、表示画像生成出力部３０は、出力バッファに格納したデータと、オンスクリーンバッファに格納したオンスクリーンディスプレイデータとの合成データを、ディスプレイインターフェース２０を通じてモニターディスプレイ１９に供給するようにする。
【手続補正１１】
【補正対象書類名】明細書
【補正対象項目名】０１３６
【補正方法】変更
【補正の内容】
【０１３６】
そして、注目領域２００Ｃの注目項目アイコンとしての注目サムネイル画像は、図１２の例では、他よりも大きく表示されて強調表示される。そして、当該注目サムネイル画像の右側には、図１１の場合と同様に、２行分とされる３つの表示欄７２、７３、７４が設けられ、図１２の例においては、表示欄７２には、注目サムネイル画像がコンテンツデータ格納部３３に格納された格納年月日および時間が表示され、表示欄７３には、注目サムネイル画像の提供放送局名が表示され、表示欄７４には、注目サムネイル画像の放送番組コンテンツのタイトル名が表示される。
【手続補正１２】
【補正対象書類名】明細書
【補正対象項目名】０１３７
【補正方法】変更
【補正の内容】
【０１３７】
また、注目領域２００Ｃの注目サムネイル画像の左側には、前記と同様に、グループ名表示欄７１が設けられ、図１２の例においては、テレビ放送番組（テレビ放送ブロック）であることと、グループ分け基準としてジャンルが選択され、かつ、注目サムネイル画像により表象される放送番組コンテンツのグループが「スポーツ」であることがグループ名表示として表示されている。
【手続補正１３】
【補正対象書類名】明細書
【補正対象項目名】０１４２
【補正方法】変更
【補正の内容】
【０１４２】
すなわち、先ず、制御部１は、コンテンツブロック１，２，３として、テレビ放送、ラジオ放送、データ放送のいずれを割り当てるかの設定用画面を、ディスプレイ１９の画面１９Ｄに表示する（ステップＳ１０１）。次に、リモコン送信機２３を通じて、その設定入力を受け付けたか否か判別し（ステップＳ１０２）、設定入力の受け付けを検出しなかったと判別したときには、リモコン送信機２３の「戻る」ボタンが操作されたか否か判別し（ステップＳ１０３）、「戻る」ボタンが操作されてはいないと判別したときには、ステップＳ１０２に戻り、また、「戻る」ボタンが操作されたと判別したときには、「ＨＤＤの設定」を選択する前のグラフィカル・ユーザ・インターフェース画面に戻り（ステップＳ１０４）、この処理ルーチンを抜ける。
【手続補正１４】
【補正対象書類名】明細書
【補正対象項目名】０２３８
【補正方法】変更
【補正の内容】
【０２３８】
そして、ステップＳ１８４で、リモコン送信機２３の上方向指示操作ボタンまたは下方向指示操作ボタンのいずれかが操作されたと判別したときには、当該ボタン操作が所定時間以上押されている状態である長押しであるか否か判別し（ステップＳ１８５）、長押しであると判別したときには、制御部１は、後述するスクロール処理を行なう（ステップＳ１８８）。その後、ステップＳ１８４に戻る。